(57)【要約】【課題】走行機体に装着され、走行機体の進行に沿って走行機体からのオフセット位置で直進作業を行うオフセット作業機において、圃場の端に至るまでの連続的な直進作業を行うことができる。【解決手段】作業部２０のオフセット位置を調整自在にしたオフセット位置調整機構４０と、作業部２０の作業方向を回動調整自在にした作業方向調整機構５０と、作業部２０と作業部２０によって作業がなされる基準作業線Ｏとの位置関係を検出する検出部６０と、検出部６０からの検出信号に基づいて、オフセット位置調整機構４０を動作させて作業部２０のオフセット位置を調整すると共に作業方向調整機構５０を動作させて作業部２０の作業方向を調整する制御手段とを備え、作業部２０の作業位置と作業方向を基準作業線Ｏに沿うように制御する。【選択図】        図１
2004267012.tif 000002
【特許請求の範囲】
【請求項１】
走行機体に装着され、該走行機体の走行位置に対して側方にオフセットした位置を作業する作業部を備え、前記走行機体の進行に沿って直進作業を行うオフセット作業機において、
前記作業部のオフセット位置を調整自在にしたオフセット位置調整機構と、前記作業部の作業方向を回動調整自在にした作業方向調整機構と、
前記作業部と該作業部によって作業がなされる基準作業線との位置関係を検出する検出手段と、
該検出手段からの検出信号に基づいて、少なくとも前記オフセット位置調整機構を動作させて前記作業部のオフセット位置を調整すると共に前記作業方向調整機構を動作させて前記作業部の作業方向を調整する制御手段とを備え、
前記作業部の作業位置と作業方向を前記基準作業線に沿うように制御することを特徴とするオフセット作業機。
【請求項２】
前記基準作業線は、前記作業部によって既に直進作業がなされた作業跡に基づいて設定されることを特徴とする請求項１に記載のオフセット作業機。
【請求項３】
前記基準作業線は、前記作業部が直進作業を行う予定線に基づいて設定されることを特徴とする請求項１又は２に記載のオフセット作業機。
【請求項４】
前記検出手段は、前記作業部の作業位置と前記基準作業線とのずれ幅と前記作業部の作業方向と前記基準作業線との角度ずれとを検出し、前記制御手段は、前記ずれ幅に基づいて前記オフセット位置調整機構を動作させ、前記角度ずれに基づいて前記作業方向調整機構を動作させることを特徴とする請求項１〜３のいずれかに記載のオフセット作業機。
【請求項５】
前記検出手段は、前記基準作業線に当接される基準部材と、該基準部材と前記作業部とを連結するリンク機構と、該リンク機構と前記基準部材又は前記作業部との連結角度を検出する検出器とを備えることを特徴とする請求項１〜４のいずれかに記載のオフセット作業機。
【請求項６】
前記制御手段は、前記検出手段からの検出信号に基づいて、前記オフセット位置の調整又は前記作業部の作業方向の調整を行う自動直進モードと、前記オフセット位置と前記作業部の作業方向とを設定状態に固定する固定作業モードとを切換可能にしたことを特徴とする請求項１〜５のいずれかに記載のオフセット作業機。
【請求項７】
前記制御手段は、操作部からの調整信号によって、前記オフセット位置の調整又は前記作業部の作業方向の調整を行う手動調整モードを有することを特徴とする請求項１〜６のいずれかに記載のオフセット作業機。
【請求項８】
前記オフセット作業機は、圃場の周辺に沿って畦を成形する畦塗り機であることを特徴とする請求項１〜７のいずれかに記載のオフセット作業機。
【発明の詳細な説明】
【０００１】
【発明の属する技術分野】
本発明は、走行機体に装着される作業機であって、走行機体の走行位置に対して側方にオフセットした位置を作業することができるオフセット作業機に関するものである。
【０００２】
【従来の技術】
トラクタ等の走行機体に装着され、走行機体の進行方向に沿って圃場における各種の連続直進作業を行う作業機は、農業又は土木用機械としては一般的なものであり、作業の種類に応じた各種の作業機がある。このような作業機の中で、作業の特殊性から、走行機体の走行位置に対して側方にオフセットした位置を作業させるオフセット作業機が、畦塗り機、溝形成機、草刈り機等として知られている（特許文献１〜３参照）。
【０００３】
特に、畦塗り機は、広い圃場の全周に亘って畦を成形するものであって、多大な時間と労力を要する畦塗り作業の機械化を達成したものとして近年注目されている。この畦塗り機の基本構成としては、走行機体の後部に装着され、走行機体からの動力が入力される入力軸を備える装着部と、入力軸からの動力を伝達する動力伝達機構を備えると共にオフセット位置での機体支持を行うオフセット機構部と、伝達された動力によってオフセット位置で畦塗り作業を行う作業部とを備え、この作業部は、旧畦の一部を切り崩して土盛りを行う前処理部と盛られた土を切り崩された旧畦上に塗り付ける整畦部とからなっている（特許文献１参照）。
【０００４】
【特許文献１】
特開２００１−２８９０３号公報
【特許文献２】
実開昭５７−２２５５７号公報
【特許文献３】
実用新案登録第２５３７５８６号公報
【０００５】
【発明が解決しようとする課題】
このようなオフセット作業機は、走行機体の進行に沿ってオフセット位置での直進作業を行うものであるが、矩形の圃場において圃場の辺に沿った直進作業を行う場合に、走行機体の先端部分が圃場の端に到達した時点でその後の直進作業を行うことができなくなるという共通の問題がある。
【０００６】
特に、矩形圃場の周辺に沿って直線的な畦塗り作業を行う畦塗り機においては、走行機体の先端が圃場端部に達した時点でそこから先の畦塗り作業を行うことができなくなるので、矩形圃場の四隅に必ず未作業部分が残ってしまうという問題が生じる。この問題を解決するために、作業部を通常作業時とは反対側のオフセット位置に移動させると共にその前後関係を反転（反転リバース）させ、四隅の未作業部分に対して走行機体を後進させながら作業を行う、反転リバース機構を備えた畦塗り機が開発されている。
【０００７】
しかしながら、このような解決策によると、作業部を反転リバースさせるための複雑な機構を装備しなければならないので、作業機の高重量化，大型化，高価格化を招くことになり、また、残りの未作業部分に対して走行機体を後進させて作業することになるので、作業の熟練性が要求され、特に走行性の悪い湿田等においては後進作業が非常に困難な状況になり、作業性の面で問題がある。
【０００８】
更には、このような反転リバースによる作業では、走行機体を停止させてオフセット作業機の作業部を反転リバースさせ、走行機体の進行方向を変えて作業位置を調整した後に作業を再始動させることになるので、連続作業を一旦中止せざるを得ず、作業能率が著しく低下するという問題が生じる。
【０００９】
本発明は、このような問題に対処するために提案されたものであって、走行機体に装着され、走行機体の進行に沿ってオフセット位置で直進作業を行うオフセット作業機において、圃場の端までの連続的な直進作業を可能にすることを目的とするものである。
【００１０】
【課題を解決するための手段】
このような目的を達成するために、本発明によるオフセット作業機は、以下の各請求項に係る特徴を具備するものである。
【００１１】
請求項１に係る発明は、走行機体に装着され、該走行機体の走行位置に対して側方にオフセットした位置を作業する作業部を備え、前記走行機体の進行に沿って直進作業を行うオフセット作業機において、前記作業部のオフセット位置を調整自在にしたオフセット位置調整機構と、前記作業部の作業方向を回動調整自在にした作業方向調整機構と、前記作業部と該作業部によって作業がなされる基準作業線との位置関係を検出する検出手段と、該検出手段からの検出信号に基づいて、少なくとも前記オフセット位置調整機構を動作させて前記作業部のオフセット位置を調整すると共に前記作業方向調整機構を動作させて前記作業部の作業方向を調整する制御手段とを備え、前記作業部の作業位置と作業方向を前記基準作業線に沿うように制御することを特徴とする。
【００１２】
請求項２に係る発明は、前述のオフセット作業機を前提として、前記基準作業線は、前記作業部によって既に直進作業がなされた作業跡に基づいて設定されることを特徴とする。
【００１３】
請求項３に係る発明は、前述のオフセット作業機を前提として、前記基準作業線は、前記作業部が直進作業を行う予定線に基づいて設定されることを特徴とする。
【００１４】
請求項４に係る発明は、前述のオフセット作業機を前提として、前記検出手段は、前記作業部の作業位置と前記基準作業線とのずれ幅と前記作業部の作業方向と前記基準作業線との角度ずれとを検出し、前記制御手段は、前記ずれ幅に基づいて前記オフセット位置調整機構を動作させ、前記角度ずれに基づいて前記作業方向調整機構を動作させることを特徴とする。
【００１５】
請求項５に係る発明は、前述のオフセット作業機を前提として、前記検出手段は、前記基準作業線に当接される基準部材と、該基準部材と前記作業部とを連結するリンク機構と、該リンク機構と前記基準部材又は前記作業部との連結角度を検出する検出器とを備えることを特徴とする。
【００１６】
請求項６に係る発明は、前述のオフセット作業機を前提として、前記制御手段は、前記検出手段からの検出信号に基づいて、前記オフセット位置を調整すると共に前記作業部の作業方向を調整する自動直進モードと、前記オフセット位置と前記作業部の作業方向とを設定状態に固定する固定作業モードとを切換可能にしたことを特徴とする。
【００１７】
請求項７に係る発明は、前述のオフセット作業機を前提として、前記制御手段は、操作部からの調整信号によって、前記オフセット位置の調整又は前記作業部における作業方向の調整を行う手動調整モードを有することを特徴とする。
【００１８】
請求項８に係る発明は、前述のオフセット作業機において、前記オフセット作業機は、圃場の周辺に沿って畦を成形する畦塗り機であることを特徴とする。
【００１９】
このような各請求項に係るオフセット作業機は、以下のような作用を有する。
【００２０】
第１には、走行機体の旋回等によって、検出手段によって作業部と基準作業線との位置関係のずれが検出された場合には、この検出手段からの検出信号に基づいて、制御手段がオフセット位置調整機構と作業方向調整機構を動作させ、作業部が基準作業線に沿って作業するように制御がなされる。
【００２１】
つまり、このオフセット作業機の作業部は、走行機体の方向転換に拘わらず、直進作業を維持することができ、圃場内で走行機体が旋回している間にも、作業部の直進作業を維持させ圃場の端部に至るまで直進作業を継続させることができる。したがって、前進のみの連続作業によって圃場の端部まで作業を行うことができ、作業能率が高く、作業性が良好なオフセット作業が可能になる。
【００２２】
また、通常の直進作業時において走行機体が不安定な走行を行った場合にも、作業部を基準作業線に沿って直進作業させることができ、走行性の悪い圃場等においても、精度の高いオフセット位置での直進作業を行うことが可能になる。
【００２３】
第２には、前述の作用に併せて、前述した基準作業線を作業部によって既に直進作業がなされた作業跡に基づいて設定することで、精度の高い位置関係の検出が可能になる。すなわち、直進作業を行う作業部は直線状の作業跡を残すので、これに基づいて作業部の位置を検出して、前述した制御を行うことで、作業部を作業跡の延長線上に沿って作業させることが可能になる。畦塗り機等においては、作業跡は整地された面になるので、基準作業線が安定した線になり、制御精度を向上させることができる。
【００２４】
第３には、前述した基準作業線を、作業機が直進作業を行う予定線に基づいて設定することもできる。これは畦塗り作業における旧畦のように作業予定線が明確に存在する場合に有効である。前述した作業跡に基づく基準作業線の設定と併用することも可能である。
【００２５】
第４には、前述した作用と併せて、検出手段は、作業部の作業位置と基準作業線とのずれ幅と作業部の作業方向と基準作業線との角度ずれとを検出し、制御手段は、検出されたずれ幅に基づいてオフセット位置調整機構を動作させ、検出された角度ずれに基づいて作業方向調整機構を動作させる。これによって、作業部が基準作業線から離れようとすると、オフセット位置調整機構によって作業部を基準作業線に近づける制御がなされ、旋回等によって作業部の作業方向が変えられようとすると、作業方向調整機構によって作業部の作業方向を基準作業線の方向に合わせる制御がなされる。したがって、前述したような直進作業を自動継続させることができる。
【００２６】
第５には、前述した検出手段は、基準作業線に当接される基準部材と、この基準部材と作業部とを連結するリンク機構と、このリンク機構と基準部材又は作業部との連結角度を検出する検出器とによって構成できる。これによると、リンク機構と基準部材又は作業部との連結角度を枢着角度センサ又はリミットスイッチ等によって検出し、この検出角度に基づいて、作業部と基準作業線とのずれ幅及び角度ずれを検出することができる。
【００２７】
第６には、前述した制御手段は、これまで説明した制御を行う自動直進モードに加えて、このような制御を行わないで、作業部のオフセット位置と作業方向とを設定状態に固定する固定作業モードを選択することができる。これによると、安定した基準作業線が取れない作業状況下においては、固定作業モードを選択して、走行機体の進行方向に沿った直進作業を行わせることができる。また、通常の直進作業においては固定作業モードによって作業を行い、走行機体が圃場の端部に近づいて旋回をはじめる前に自動直進モードを選択して、圃場端部に至るまでの直進作業を行わせることができる。
【００２８】
第７には、また前述した制御手段は、これに加えて、例えば走行機体側に設けた操作部からの調整信号によって、オフセット位置の調整又は作業部における作業方向の調整を行う手動調整モードを有するので、操作部からの遠隔操作によって作業部のオフセット位置又は作業方向を微調整することが可能になる。
【００２９】
第８には、このようなオフセット作業機を圃場の周辺に沿って畦を成形する畦塗り機に適用することによって、これまで作業部を反転リバースさせた後に後進作業によって行っていた矩形圃場の四隅塗り残し作業を、連続した直進のみの作業によって行うことができるようになる。これによると、畦塗り作業の作業容易性と作業能率を著しく向上させることができると共に、反転リバース機構を設ける必要がないので、作業機の軽量化と小型化が可能になる。
【００３０】
【発明の実施の形態】
以下、本発明の実施形態を図面を参照して説明する。図１は本発明の一実施形態に係るオフセット作業機の主要構成を示す説明図である。オフセット作業機１は、トラクタ等の走行機体２における３点リンク等の連結手段３に装着される装着部１０と、走行機体２の走行位置に対して側方にオフセットした位置を作業する作業部２０と、装着部１０に一端が軸部３１において回動自在に軸支され、作業部２０に他端が軸部３２において回動自在に軸支されて、装着部１０に対して作業部２０をオフセット位置に支持するオフセットリンク機構部３０とを備えるものである。
【００３１】
ここで、各作業機の特性に応じて、装着部１０には走行機体２からの動力が入力される入力軸が設けられ、オフセットリンク機構３０にはこの入力軸からの動力を作業部に伝達する動力伝達機構が設けられ、また、作業部２０には、各種作業を行うための駆動部とそれを駆動させるための伝動部が設けられている。
【００３２】
装着部１０とオフセットリンク機構部３０との間には、オフセット位置調整機構を構成する駆動装置４０が設けられている。この駆動装置４０は、油圧シリンダ，電動シリンダ等のアクチュエータによって構成され、その動作によってオフセットリンク機構３０を軸部３１の周りに回動させ、オフセットリンク角θＹ（Ｏ１，Ｏ１’はオフセットリンク軸を示している。）を調整することによって、作業部２０のオフセット位置を調整するものである。この実施形態におけるオフセット位置調整機構は、オフセットリンク角θＹのみによってオフセット位置を調整しているが、これに加えて或いはこれに換えて、オフセットリンク機構部３０のリンク長さを伸縮調整させることによって、オフセット位置を調整させることもできる。
【００３３】
また、オフセットリンク機構３０と作業部２０との間には作業方向調整機構を構成する駆動装置５０が設けられている。この駆動装置５０も前述の駆動装置４０と同様に油圧シリンダ，電動シリンダ等のアクチュエータによって構成され、その動作によって作業部２０を軸部３２の周りに回転駆動させ、作業部方向角θＸ（Ｏ２，Ｏ２’は作業部の作業方向軸を示している。）を調整することによって、作業部２０の作業方向を調整するものである。
【００３４】
そして、本発明の実施形態に係るオフセット作業機１は、走行機体２の進行に沿って直進作業を行うものであるが、基準作業線Ｏを設定して、作業部２０の作業位置と作業方向とをこの基準作業線Ｏに沿うように制御する制御部と、この制御を行うために、作業部２０と基準作業線Ｏとの位置関係を検出する検出部６０とを備えている。
【００３５】
基準作業線Ｏは、作業部２０によって直進作業がなされる基準線であって、例えば、作業部２０によって既に直進作業がなされた作業跡に基づいて設定することができる。これは、例えば畦塗り機であれば新しく形成された畦形成面によって設定することができるし、溝形成機であれば掘削された溝の側面等によって設定することができる。また、作業部２０の進行すべき予定線が存在する場合には、その予定線を基準作業線Ｏに設定することもできる。これは、例えば畦塗り機であれば、旧畦の側面又は上面等によって設定することができるし、他の作業機の場合には、前作業の作業跡や刈り取り作物の刈り跡等によって設定することができる。何も基準線が存在しない場合には、圃場の端に目印を設けて目印までの仮想直線を基準作業線Ｏに設定することもできる。
【００３６】
検出部６０は、作業部２０と基準作業線Ｏとの位置関係を検出するものであって、作業部２０の作業位置と基準作業線Ｏとのずれ幅と作業部２０の作業方向と基準作業線Ｏとの角度ずれとを検出できるものであればよい。
【００３７】
この検出部６０の例を示すと、この実施形態では、板状の基準部材６１とこれを基準作業面Ｏに当接付勢させるリンク機構６２とを備え、作業部２０の機体とリンク機構６２の一端との枢支軸部に第１検出器Ｓ１を設け、リンク機構６２の他端と基準部材６１との枢支軸部に第２検出器Ｓ２を設けている。
【００３８】
この実施形態に係る検出部６０の作用を図２によって説明する（同図（ａ）は作業部２０が基準作業線Ｏに沿っている状態、同図（ｂ）は基準作業線Ｏに対して作業部２０がずれた状態を示している。）。ここで、第１，第２検出器Ｓ１，Ｓ２は、枢支軸部の枢支角度状態を検出できるものであって、設定された角度に応じてスイッチをオンオフするリミットスイッチ，枢支角度を信号量に変換するポテンショメータ等の角度センサ等が用いられる。
【００３９】
この実施形態では、第１検出器Ｓ１が作業部２０の作業方向軸Ｏ２とリンク機構６２との角度θＡ１を検出し、第２検出部Ｓ２が基準作業線Ｏに当接された基準部材６１の当接面方向とリンク機構６２との角度θＢ１を検出している。ここで、θＡ１＝θＢ１が設定値θｓになっている状態を検出することによって、作業部２０が基準作業線Ｏに沿って直進作業を行っていることを認識することができる（図２（ａ）参照）。そして、作業部２０の作業位置及び作業方向が基準作業線Ｏに対してずれた場合（作業方向軸Ｏ２’の回転及び横ずれ）には、第１検出器Ｓ１の検出角度差（θＡ１−θＡ１’）によって、作業方向の角度ずれを検出することができ、第２検出器Ｓ２の検出角度差（θＢ１−θＢ１’）によって、作業位置のずれ幅を検出することができる（図２（ｂ）参照）。
【００４０】
図３は、検出部６０の他の実施形態を示すものである（同図（ａ）は作業部２０が基準作業線Ｏに沿っている状態、同図（ｂ）は基準作業線Ｏに対して作業部２０がずれた状態を示している。）。この実施形態では、作業部２０に近い位置に設けられるローラ状の基準部材６３Ａ及び作業部２０から遠い位置に設けられるローラ状の基準部材６３Ｂとこれらを基準作業面Ｏに当接付勢させるリンク機構６２Ａ，６２Ｂとを備え、作業部２０の機体とリンク機構６２Ａ，６２Ｂの一端との枢支軸部に第１及び第２検出器Ｓ１，Ｓ２を設けている。そして、第１検出器Ｓ１が作業部２０の作業方向軸Ｏ２とリンク機構６２Ａとの角度θＡ２を検出し、第２検出部Ｓ２がリンク機構６２Ａとリンク機構６２Ｂとの角度θＢ２を検出している。
【００４１】
ここでは、θＡ２，θＢ２がそれぞれ設定値になっている状態を検出することによって、作業部２０が基準作業線Ｏに沿って直進作業を行っていることを認識することができる（図３（ａ）参照）。そして、作業部２０の作業位置及び作業方向が基準作業線Ｏに対してずれた場合（作業方向軸Ｏ２’の回転及び横ずれ）には、第１検出器Ｓ１の検出角度差（θＡ２−θＡ２’）によって、作業方向の角度ずれを検出することができ、第２検出器Ｓ２の検出角度差（θＢ２−θＢ２’）によって、作業位置のずれ幅を検出することができる（図３（ｂ）参照）。
【００４２】
前述した検出部６０の実施形態によると、作業部２０の後方に検出部６０を設けているので、作業部２０による作業跡を基準作業線Ｏに設定することができる。特に畦塗り機の場合には、作業部２０によって形成される作業跡（新畦）は安定した平面になるので、これを基準作業線Ｏにすることで安定した作業部２０の変位を検出することが可能になる。
【００４３】
図４は、検出部６０の他の実施形態を示す説明図である（同図（ａ）は作業部２０が基準作業線Ｏに沿っている状態、同図（ｂ）は基準作業線Ｏに対して作業部２０がずれた状態を示している。）。この実施形態では、作業部２０の前方に設けられるローラ状の基準部材６４Ａ及び作業部２０の後方に設けられるローラ状の基準部材６４Ｂとこれらを基準作業面Ｏに当接付勢させるリンク機構６２Ａ，６２Ｂとを備え、作業部２０の機体とリンク機構６２Ａ，６２Ｂの一端との枢支軸部に第１及び第２検出器Ｓ１，Ｓ２を設けている。そして、第１検出器Ｓ１が作業部２０の作業方向軸Ｏ２とリンク機構６２Ａとの角度θＡ３を検出し、第２検出部Ｓ２が作業部２０の作業方向軸Ｏ２とリンク機構６２Ｂとの角度θＢ３を検出している。
【００４４】
これによっても、前述の実施形態と同様に検出角度の変化（θＡ３→θＡ３’，θＢ３→θＢ３’）によって、作業部２０のずれ幅と角度ずれとを検出することができる。この実施形態では、作業部２０の後方に設けた基準部材６４Ｂは、作業機２０の作業跡によって設定された基準作業線Ｏに当接させることができ、作業部２０の前方に設けた基準部材６４Ａは、作業機２０の作業予定線によって設定された基準作業線Ｏに当接させることができる。
【００４５】
前述した各実施形態では、基準作業線Ｏに基準部材（６１，６３Ａ，６３Ｂ，６４Ａ，６４Ｂ）を当接させる形態の検出部６０について説明したが、これに限定されるものではなく、他の接触型検出手段、或いは光，磁気，音等を用いた非接触型の検出手段を用いることも可能である。
【００４６】
図５は、実施形態に係るオフセット作業機１の制御部を説明する説明図である。前述した検出部６０によって作業部２０と基準作業線Ｏとの位置関係がずれ幅αと角度ずれβによって検出され、この検出信号が制御部７０に送られる。制御部７０では、この検出信号に基づいて、作業部２０の作業方向と作業位置が基準作業線Ｏに沿うような制御信号が出力される。すなわち、ずれ幅αに基づいたオフセットリンク角の制御量ΔθＹに応じて、オフセット位置調整機構である駆動装置４０を動作させて、作業部２０のオフセット位置を調整する。また、角度ずれβに基づいた作業部方向角の制御量ΔθＸに応じて、作業方向調整機構である駆動装置５０を動作させて、作業部２０の作業方向を調整する。この実施形態では、オフセットリンク角ΔθＹと作業部方向角ΔθＸによって制御しているが、これに限らず、例えば、オフセットリンク機構部３０を伸縮自在に駆動できるようにして、必要に応じてこの伸縮程度を調整するようにしてもよい。
【００４７】
また、実施形態の制御部７０においては、例えば走行機体側に設けられた操作部８０から入力されるモード選択信号Ｍによって、制御部７０の動作を、作業部２０のオフセット位置と作業方向とを自動調整する自動直進モード、オフセット位置と作業方向とを設定状態に固定する固定作業モードとに切り換えることができる。自動直進モードが選択された場合には、検出部６０からの検出信号（α，β）に基づいた制御信号（ΔθＸ，ΔθＹ）に応じて駆動装置４０，５０を動作させ、作業部２０を基準作業線Ｏに沿わせる制御がなされる。固定作業モードが選択された場合には、制御部を停止させて（常に、ΔθＸ，ΔθＹ＝０を出力させて）、作業部２０を設定状態に固定する。
【００４８】
更に、実施形態の制御部７０においては、例えば走行機体側に設けられた操作部８０からの調整信号（θＭＸ，θＭＹ）に応じた制御信号（ΔθＸ，ΔθＹ）を出力させる手動調整モードを選択することもできる。モード選択信号Ｍによって手動調整モードが選択された場合には、操作者は作業部２０の変位を目視しながら、遠隔操作によって作業部２０のオフセット位置又は作業方向を調整することができる。
【００４９】
このような特徴を有するオフセット作業機１の作用を図６に基づいて説明する（前述の説明と同一の箇所には同一の符号を付して一部説明を省略する。）。オフセット作業機１は走行機体２に装着部１０で装着され、走行機体２の進行に沿って直進作業を行うものである。ここでは、矩形圃場Ｆの一辺を基準作業線Ｏに設定して、圃場の端に沿って作業部２０による直進作業を行う場合を示している。
【００５０】
走行機体２が直進走行可能な状況では、走行機体２を圃場Ｆ端辺の内側に沿って走行させることによって、圃場Ｆの端辺に沿って作業部２０による直進作業を行わせることができる。このような状況では、安定した直進走行が可能な場合には、前述した固定作業モードを選択しても良好な直進作業が可能であるが、走行性が不安定な場合には、自動直進モードを選択することによって基準作業線Ｏに沿った直進作業を容易に行うことが可能になる。
【００５１】
そして、走行機体が圃場Ｆの前端に近づいた時点（符号２ａ参照）で前述の自動直進モードを選択する。これによって、走行機体を圃場Ｆの前端に沿って旋回させた場合（符号２ｂ〜２ｄ）にも、作業部を圃場Ｆの端辺に沿って圃場の端まで連続的に作業させることができる（符号２０ａ〜符号２０ｄ参照）。また、作業部２０の位置又は方向を微調整したい場合等には、手動調整モードを選択して、走行機体側に設けた操作部８０からの調整信号に応じた調整を行うこともできる。
【００５２】
前述したオフセット作業機１は畦塗り機に適用することによって特に有効に機能させることができる。畦塗り機に適用した場合の作業部２０の一例を図７に示す。この作業部２０はオフセットリンク機構部３０の端部に設けられた軸部３２の周りに回動自在に装着されるものである。そして、オフセットリンク機構部３０は動力伝達機構を具備しており、軸部３２が作業部２０への入力軸を兼ねている。そして、旧畦の一部を切り崩して土盛り作業を行うロータリ爪駆動装置２１Ａからなる前処理部２１、その前段で旧畦の上面を掘削処理するロータリ爪駆動装置２２Ａからなる天場処理部２２、前処理部２１によって前方に盛られた土を切り崩された旧畦上に塗り付ける整畦ドラム２３Ａを備える整畦部２３を備えると共に、軸部３２から前述の各部へ動力を伝達する動力伝達機構２４Ａ〜２４Ｅを備えている。２５は、コールタを兼ね、上下調整可能に設けられるゲージホイールであって、このゲージホイール２５により前処理部２１及び整畦部２３の作業深さを調節して、成形される新畦の高さを調節すると共に、オフセット位置における作業部２０の安定性を確保している。
【００５３】
このような作業部２０を前述したオフセット作業機１に採用することで圃場の周辺に沿って自動直進による畦成形を行う畦塗り機を構成することができる。この畦塗り機によると、従来技術では作業部を反転リバースさせた後に後進作業によって行っていた矩形圃場の四隅塗り残し作業を、連続した直進のみの作業によって行うことができる。したがって、畦塗り作業の作業容易性と作業能率を著しく向上させることができると共に、反転リバース機構を設ける必要がないので、作業機の軽量化と小型化が可能になる。
【００５４】
【発明の効果】
本発明はこのように構成されるので、走行機体に装着され、走行機体の進行に沿って走行機体からのオフセット位置で直進作業を行うオフセット作業機において、圃場の端に至るまで連続的に直進作業を行わせることができる。
【図面の簡単な説明】
【図１】本発明の一実施形態に係るオフセット作業機の主要構成を示す説明図である。
【図２】実施形態のオフセット作業機における検出部の作用を説明する説明図である。
【図３】実施形態のオフセット作業機における検出部（他の実施形態）の作用を説明する説明図である。
【図４】実施形態のオフセット作業機における検出部（他の実施形態）の作用を説明する説明図である。
【図５】実施形態に係るオフセット作業機の制御部を説明する説明図である。
【図６】実施形態のオフセット作業機の作用を示す説明図である。
【図７】本発明の実施形態を畦塗り機に適用した場合の作業部の例を示す説明図である。
【符号の説明】
１  オフセット作業機
２    走行機体
３  連結手段
１０  装着部
２０  作業部
３０  オフセットリンク機構部
４０  駆動装置（オフセット位置調整機構）
５０  駆動装置（作業方向調整機構）
６０  検出部
６１，６３Ａ，６３Ｂ，６４Ａ，６４Ｂ  基準部材
６２，６２Ａ，６２Ｂ  リンク機構
７０  制御部
８０  操作部
Ｏ  基準作業線  Ｏ１  オフセットリンク軸  Ｏ２  作業方向軸
Ｓ１，Ｓ２  検出器
【図１】
2004267012.tif 000003
【図２】
2004267012.tif 000004
【図３】
2004267012.tif 000005
【図４】
2004267012.tif 000006
【図５】
2004267012.tif 000007
【図６】
2004267012.tif 000008
【図７】
2004267012.tif 000009